(57)【要約】      （修正有）【課題】ろ過を提供するための改良されたシステム等を提供する。一実施例では、筺体内に２つ以上のフィルタ区域を備えるフィルタを取り付ける方法が提供される。【解決手段】その方法が、多孔板に取り付けるように構成された一次フィルタ区域を設けるステップであって、一次フィルタ区域が一次フィルタ一次端部および一次フィルタ二次端部を有し、一次フィルタ二次端部が１つまたは複数の上方締付装置を備える、ステップと、多孔板に隣接する一次フィルタ一次端部を有する一次フィルタ区域を取り付けるステップと、１つまたは複数の下方締付装置を備える二次フィルタ一次端部を有する二次フィルタ区域を設けるステップと、二次フィルタ区域を一次フィルタ区域に固定するステップであって、１つまたは複数の下方締付装置が１つまたは複数の上方締付装置と協働して、二次フィルタ区域を一次フィルタ区域に対して固定するステップとを含むことができる。【選択図】なし【特許請求の範囲】
【請求項１】
筺体（１００）内に２つ以上のフィルタ区域を備えるフィルタを取り付ける方法であって、
多孔板（３０２）に取り付けるように構成された一次フィルタ区域（３０６）を設けるステップであって、前記一次フィルタ区域（３０６）が一次フィルタ一次端部（３０７）および一次フィルタ二次端部（３０８）を有し、前記一次フィルタ二次端部（３０８）が１つまたは複数の上方締付装置（３１０）を備える、ステップと、
前記多孔板（３０２）に隣接する前記一次フィルタ一次端部（３０７）を有する前記一次フィルタ区域（３０６）を取り付けるステップと、
１つまたは複数の下方締付装置（３１１）を備える二次フィルタ一次端部（３１３）を有する二次フィルタ区域（３１４）を設けるステップと、
前記二次フィルタ区域（３１４）を前記一次フィルタ区域（３０６）に固定するステップであって、前記１つまたは複数の下方締付装置（３１１）が前記１つまたは複数の上方締付装置（３１０）と協働して、前記二次フィルタ区域（３１４）を前記一次フィルタ区域（３０６）に対して固定するステップと
を含む、方法。
【請求項２】
前記二次フィルタ区域（３１４）を前記一次フィルタ区域（３０６）に固定するステップが、１つまたは複数の締め付けフック（５１２）の少なくとも部分を前記１つまたは複数の上方締付装置（５０４）に係合するステップを含み、前記１つまたは複数の締め付けフック（５１２）が前記１つまたは複数の下方締付装置（５０８）に結合されている、請求項１記載の方法。
【請求項３】
前記二次フィルタ区域（３１４）を前記一次フィルタ区域（３０６）に固定するステップが、１つまたは複数の締め付けフック（５１２）の少なくとも部分を前記１つまたは複数の下方締付装置（５０８）に係合するステップを含み、前記１つまたは複数の締め付けフック（５１２）が前記１つまたは複数の上方締付装置（５０４）に結合する、請求項１記載の方法。
【請求項４】
前記二次フィルタ区域（３１４）を前記一次フィルタ区域（３０６）に固定するステップが、前記二次フィルタ区域（３１４）と前記一次フィルタ区域（３０６）との間の接触面の少なくとも部分を封止するステップを含む、請求項１記載の方法。
【請求項５】
前記一次フィルタ区域（３０６）を中間担体（３１２）に対して操作するステップであって、前記一次フィルタ二次端部（３０８）が中間担体（３１２）に係合するように作動可能であり、前記一次フィルタ一次端部（３０７）が前記多孔板（３０２）に対してその相対的な位置を維持する、ステップと、
前記一次フィルタ二次端部（３０８）を前記中間担体（３１２）に対して操作するステップであって、前記一次フィルタ二次端部（３０８）が前記中間担体（３１２）に対してその相対的な位置を維持し、前記中間担体（３１２）が方向性取付部（３０３）の二次端部（３０５）に係合するように作動可能である、ステップと
をさらに含む、請求項１記載の方法。
【請求項６】
前記中間担体（３１２）が、前記多孔板（３０２）の方に回転して、取り付け中に前記一次フィルタ区域（３０６）のための間隙をもたらすように作動可能であり、さらに前記一次フィルタ二次端部（３０８）に係合するためにおよび前記一次フィルタ区域（３０６）を支持するために、最初の位置に戻るように作動可能である１つまたは複数の水平の蝶番式支持ブラケット（６１０）をさらに備える、請求項５記載の方法。
【請求項７】
前記方向性取付部（３０３）の少なくとも１つの一次端部（３０４）が、前記多孔板（３０２）に係合し、前記方向性取付部（３０３）の前記二次端部（３０５）が前記中間担体（３１２）に固定される、請求項５記載の方法。
【請求項８】
筺体（１００）と、
多孔板（３０２）と、
中間担体（３１２）と、
前記多孔板（３０２）に隣接して取り付けるように作動可能な前記一次フィルタ一次端部（３０７）および前記中間担体（３１２）に係合するように作動可能である前記一次フィルタ二次端部（３０８）を備える一次フィルタ区域（３０６）であって、前記一次フィルタ一次端部（３０７）が前記多孔板（３０２）に対してその位置を維持し、前記一次フィルタ二次端部（３０８）が前記中間担体（３１２）に対してその相対的な位置を維持する、一次フィルタ区域（３０６）と、
前記一次フィルタ二次端部（３０８）に固定された１つまたは複数の上方締付装置（３１０）と、
前記一次フィルタ区域（３０６）に対して前記二次フィルタ区域（３１４）を固定するように作動可能である１つまたは複数の下方締付装置（５０８）を有する二次フィルタ一次端部（３１３）を備える二次フィルタ区域（３１４）と
を備える、システム。
【請求項９】
前記多孔板（３０２）を取り付けるように作動可能である２つ以上の方向性取付部一次端部（３０４）を有する方向性取付部（３０３）および前記中間担体（３１２）に取り付けるように作動可能である方向性取付部二次端部（３０５）をさらに備える、請求項８記載のシステム。
【請求項１０】
前記中間担体（３１２）が、前記多孔板（３０２）の方に回転して、取り付け中に前記一次フィルタ区域（３０６）のための間隙をもたらすように作動可能であり、さらに前記一次フィルタ二次端部（３０８）に係合するために、および前記一次フィルタ区域（３０６）を支持するために、最初の位置に戻るように作動可能である１つまたは複数の水平の蝶番式支持ブラケット（６１０）をさらに備える、請求項８記載のシステム。
【発明の詳細な説明】
【技術分野】
【０００１】
本発明は、全体的にろ過に関し、特に空気ろ過に関する。
【背景技術】
【０００２】
産業用空気フィルタは、一般に、ほこりおよび他の微粒子を流入気流から除去するために使用される。最も効率的で費用効果の高い産業用ろ過システムの１つは、フィルタ筺体内にフィルタの配列を使用する。ほこりを帯びたガスは、フィルタ筺体に入り、織りまたは不織の天然、合成または繊維ガラス材料で作成され得るフィルタを通過する。ろ過媒体はほこりの粒子が積もることができる面を提供し、フィルタ処理が増加すると、ほこりの塊が通常はフィルタの面上に形成される。ほこりの蓄積によってガス流に対する抵抗が増加するので、フィルタを定期的に浄化する必要がある。これらのフィルタはひだ状である。
【０００３】
上向流フィルタ構成では、フィルタは典型的に多孔板に固定され、垂直方向に垂設される。通常、汚れたガス流はフィルタ筺体に入り、外側からフィルタを通過し、ろ過されたほこりはフィルタの外側に蓄積する。いくつかのシステムでは、空気の逆流振動がいくらかのほこり粒子をフィルタ材料から除去するのに十分であるが、しかし、結局、フィルタ材料は非常に目詰まりを起こし、フィルタがサービス要員によって取り換えられねばならない。フィルタ効率はろ過媒体のサイズおよび表面面積と共に増加することができるが、従来のフィルタは、サービス要員が容易にフィルタを取付け、取り換えることができるように大きさを決められている。ろ過を提供するための改良されたシステム、方法および装置に対する要求が依然として存在する。
【発明の概要】
【０００４】
ろ過を提供するための改良されたシステム、方法および装置を提供する。
【０００５】
上記の要求のいくつか、またはすべてが本発明のある実施形態によって対処される。本発明のある実施形態には、ろ過を提供するためのシステム、方法および装置が含まれ得る。
【０００６】
本発明のある実施形態の一実施例によると、ある方法が、筺体内に２つ以上のフィルタ区域を含むフィルタを取り付けるステップのために提供される。その方法は、多孔板に取り付けるように構成された一次フィルタ区域を設けるステップであって、一次フィルタ区域が一次フィルタ一次端部および一次フィルタ二次端部を有し、一次フィルタ二次端部が１つまたは複数の上方締付装置を備える、ステップと、多孔板に隣接する一次フィルタ一次端部を有する一次フィルタ区域を取り付けるステップと、１つまたは複数の下方締付装置を備える二次フィルタ一次端部を有する二次フィルタ区域を設けるステップと、二次フィルタ区域を一次フィルタ区域に固定するステップであって、１つまたは複数の下方締付装置が１つまたは複数の上方締付装置と協働して、二次フィルタ区域を一次フィルタ区域に対して固定するステップとを含むことができる。
【０００７】
実施形態の別の実施例により、あるシステムが提供される。そのシステムは、筺体と、多孔板と、中間担体と、多孔板に隣接して取り付けるように作動可能な一次フィルタ一次端部および中間担体に係合するように作動可能である一次フィルタ二次端部を備える一次フィルタ区域であって、一次フィルタ一次端部が多孔板に対してその位置を維持し、一次フィルタ二次端部が中間担体に対してその相対的な位置を維持する、一次フィルタ区域と、一次フィルタ二次端部に固定された１つまたは複数の上方締付装置と、一次フィルタ区域に対して二次フィルタ区域を固定するように作動可能である１つまたは複数の下方締付装置を有する二次フィルタ一次端部を備える二次フィルタ区域とを備える。
【０００８】
実施形態の別の実施例によると、装置が提供される。その装置は、１つまたは複数の上方締付装置を備える一次フィルタ区域、および１つまたは複数の下方締付装置を備える二次フィルタ区域を含み、１つまたは複数の下方締付装置が１つまたは複数の上方締付装置に取り付けるように作動可能であって、一次フィルタ区域および二次フィルタ区域を備えるフィルタ組立体を提供する。
【０００９】
本発明の他の実施形態および態様が本明細書に詳細に説明され、特許請求の範囲の一部分として考察される。他の実施形態および態様が、以下の詳細な説明、添付の図面および特許請求の範囲に関連して理解することができる。
【００１０】
次に、添付の表および図面を参照するが、それらは必ずしも一定の縮尺で描かれているわけではない。
【図面の簡単な説明】
【００１１】
【図１】本発明の実施形態の一実施例による例示的ろ過筺体の構成図である。
【図２】本発明の実施形態の一実施例による例示的ろ過組立体の構成図である。
【図３】本発明の実施形態の一実施例による例示的ろ過および取付組立体の構成図である。
【図４】本発明の実施形態の一実施例による例示的中間担体の構成図である。
【図５】本発明の実施形態の一実施例による例示的締め付け組立体の構成図である。
【図６】本発明の実施形態の一実施例による例示的な方向性取付部および中間担体の構成図である。
【図７】本発明の実施形態の一実施例による実施例の方法の流れ図である。
【図８】本発明の実施形態の一実施例による別の実施例の方法の流れ図である。
【発明を実施するための形態】
【００１２】
本発明の実施形態が、本発明の実施形態が示される添付の図面に関連して以下に完全に説明される。しかし、本発明は多くの様々な形態で実施することができ、本明細書で述べた実施形態に制限するものとして解釈するべきではなく、むしろ、これらの実施形態は、この開示が徹底的で完全であり、当業者に本発明の範囲を完全に伝えるように提供される。全体に亘って、同じ符号は同じ要素を指す。
【００１３】
本発明の実施形態の実施例は、既存のフィルタ筺体内の複数の区域にフィルタを取り付けることを可能にする。本発明の実施形態の一実施例によると、複数の小さいフィルタが一体に据え付けられ、取り付けられて、単一の大きなフィルタ組立体を提供する。本発明の実施形態の一実施例によると、多孔板の穴に対するろ過媒体領域の増加は、媒体空気速度を低減し、およびフィルタ全体の圧力低下を減少させる。実施形態の一実施例によると、多孔板の穴に対するろ過媒体領域の増加は、またフィルタ筺体およびフィルタを通る空気を動かすために必要なエネルギーをも減少させる。実施形態の一実施例によると、小さいフィルタ区域が大きいフィルタを組立てるために利用することができ、一方、通常は単一の大きいフィルタを持ち上げ、取り付けることに付随する重量の問題を回避する。
【００１４】
フィルタをフィルタ筺体内の複数の区域に取り付けることを可能にするために、様々な装置および部品を使用することができ、ここで本発明の実施形態の一実施例により、添付の図面に関連して説明する。
【００１５】
図１は、垂直上向流フィルタ筺体１００の実施例を図示する。本発明の実施形態の一実施例によると、ほこりまたは粒子を含むことがある流入空気１０２がフィルタ筺体１００に入ることができ、流入空気１０２は、フィルタ筺体１００内の多孔板から吊設または垂設することができるフィルタ１０４に衝突することができる。本発明の実施形態の一実施例では、フィルタ１０４は複数の区域の多孔板に取り付けることができ、それにより２つ以上のフィルタ区域が同じ多孔板の穴を共有することができる。実施形態の一実施例では、フィルタ１０４を通過後、フィルタ筺体１００内のろ過された空気１０６が出口を通って流れることができ、次いで清浄な流出空気１０８が他の領域または使用のために機械の方向に向くことができる。
【００１６】
本発明の実施形態の一実施例によると、フィルタ筺体１００内の垂直方向にフィルタ１０４を取り付けるステップが、ある有利な効果を提供することができる。例えば、フィルタは空気の逆流振動によって浄化することができ、除去されたほこりがフィルタ１０４の下の領域に蓄積することができて、容易に除去される。
【００１７】
図２は、複数区域を有するフィルタ２００の実施形態の一実施例を図示する。実施形態の一実施例では、フィルタ２００が端部キャップ２０２、一次区域２０６および二次区域２０４を含むことができる。例えば、実施形態の一実施例では、一次区域２０６は円錐形状で作成し、二次区域２０４は円柱形状で作成することができる。別の実施形態の一実施例では、一次区域２０６および二次区域２０４は任意の便利な形状に形成可能である。実施形態の一実施例によると、一次区域２０６および二次区域２０４は、本発明の範囲から逸脱せずに、他の技術を使用して結合することができる。他の実施形態の一実施例によると、２つ以上のフィルタ区域を単一のフィルタ組立体を組み立てるために利用することができる。
【００１８】
図３は、本発明の実施形態の一実施例により、関連するハードウェアを有する、取り付け済みフィルタ組立体３００の側面図である。実施形態の一実施例では、フィルタ組立体３００を多孔板３０２に取り付けることができ、その結果、空気が、多孔板の穴３０１を通って移動する前に、複数区域のフィルタ組立体のフィルタ材料を通過する。本発明の実施形態の一実施例によると、方向性取付部３０３が、多孔板３０２に隣接するフィルタ組立体３００を吊設するための支持を提供することができる。実施形態の一実施例では、方向性取付部３０３が２つ以上の一次端部３０４を有することができる。例えば、方向性取付部３０３の一次端部３０４用の三脚構成が、十分に吊設フィルタ組立体を支持することができる。実施形態の一実施例では、一次端部３０４は、多孔板の頂部の一部に係合することができるフランジまたは屈曲領域を含むことができる。
【００１９】
実施形態の一実施例によると、以下に説明するように、方向性取付部３０３はまた、中間担体３１２に取り付けるために利用可能である二次端部３０５を含むことができる。実施形態の一実施例では、一次フィルタ区域３０６（図２の２０６に対応する）が、方向性取付部３０３および中間担体３１２の組合せによって、支持され、多孔板３０２に隣接して保持されることができる。例えば、中間担体３１２は方向性取付部３０３の二次端部に係合することができ、一次フィルタ区域３０６は中間担体３１２によって多孔板３０２に対して支持され、保持されることができる。実施形態の一実施例では、一次フィルタ区域３０６が、一次フィルタ一次端部３０７を多孔板３０２に対して封止するよう作動可能なガスケットまたは類似の折り畳み可能な面を含む一次フィルタ一次端部３０７を含むことができる。実施形態の一実施例によると、一次フィルタ二次端部３０８は、一次フィルタ区域締付具３１０を含むことができ、または一次フィルタ区域締付具３１０に取り付けるように作動可能である。
【００２０】
実施形態の一実施例によると、フィルタ組立体３００は二次フィルタ区域３１４（例えば、図２の２０４に対応する）を含むことができる。実施形態の一実施例では、二次フィルタ区域３１４は、一次フィルタ区域３０６に取り付けるように作動可能である。実施形態の一実施例では、二次フィルタ区域３１４は、二次フィルタ区域３１４を一次フィルタ区域３０６に固定するために、一次フィルタ区域締付具３１０に結合することができる二次フィルタ締付具３１１を含むことができる。本発明の実施形態の一実施例によると、「締付具（ｃｌａｍｐ）」という用語は様々な締付装置を含み、簡単なツイストロック型締付装置を含むが、それに限定するわけではない。実施形態の一実施例では、締付具には、フック、アイレット、ラッチおよび二次フィルタ区域３１４を一次フィルタ区域３０６に固定するために適切な他の装置を含むことができる。実施形態の一実施例では、方向性取付部３０３および中間担体３１５は、一次フィルタ区域３０６、二次フィルタ区域３１４の両方、ならびに締付具３１０および３１１のために吊設担体を提供することができる。
【００２１】
本発明の実施形態の一実施例によると、二次フィルタ区域３１４は、二次フィルタ区域３１４の二次端部３１５に隣接する端部キャップ３１６（例えば、図２の２０２に対応する）を含むことができる。実施形態の一実施例では、端部キャップ３１６は連続的（例えば、穴がない）であることができ、その結果、空気が封鎖され、多孔板の穴３０１を通って移動する前に、一次フィルタ区域３０６または二次フィルタ区域３１４に関連するフィルタ媒体を通って移動しなければならない。別の実施形態の一実施例では、端部キャップ３１６は方向性取付部３０３に取り付けるための穴を含むことができる。例えば、一実施形態では方向性取付部３０３は、端部キャップ３１６の下方下に延在する二次端部３０５を含むことができ（図示せず）、少なくとも部分的に、端部キャップ３１６を方向性取付部の二次端部３０５に固定することにより、二次フィルタ区域３１４は一次フィルタ区域３０６に隣接して保持することができる。
【００２２】
図４は、一次フィルタ区域４０２から多孔板に向かって人が見上げたと仮定した場合、フィルタ取付中間区域４００の実施形態の一実施例の端面図を示す。実施形態の一実施例によると、一次フィルタ区域の二次端部（図３の３０８のように）は、一旦フィルタが決まった場所にあると、方向性取付部４０４が係合するための凹所領域を含むことができる。実施形態の一実施例によると、中間担体４０４は、方向性取付部の二次端部を受けるための開口４０６を含むことができる（図３の３０５のように）。
【００２３】
図５は、本発明の実施形態の一実施例による、二次フィルタ区域５０６を一次フィルタ区域５０２に取り付けるように作動可能な締め付け組立体５００の実施例を示す。締め付け組立体５００の部品は、本発明の実施形態の一実施例による、図３の一次フィルタ区域締め付け部３１０および二次フィルタ区域締め付け部３１１に対応することができる。実施形態の一実施例では、締め付け組立体５００は上方締め付け区域５０４を含むことができ、下方締め付け区域５０８は、上方締め付け区域５０４と下方締め付け区域５０８との間に圧縮可能なガスケット５１０を含むことができ、フィルタ一次区域５０２とフィルタ二次区域５０６との間に存在することができ、フィルタガスケット５１０は気密（または気密に近い）封止をフィルタ区域の間に提供することができる。実施形態の一実施例では、締め付け組立体５００は、下方締め付け区域５０８を上方締め付け区域５０４に固定するように作動可能な締め付けフック５１２を含むことができる。
【００２４】
図６は、本発明の実施形態の一実施例による、中間担体組立体６００を示す。実施形態の一実施例では、中間取付部組立体６００は、中間担体６０４に係合するように作動可能である方向性取付部端部６０２（図３の３０５のような）を含むことができる。実施形態の一実施例によると、中間担体６０４は、蝶番６１２で中間担体６０４の骨組みの部分に固定することができる１つまたは複数の蝶番式ブラケット６１０を含むことができる。実施形態の一実施例によると、中間担体６０４は、ナット６０８および選択的な座金６０６によって方向性取付部端部６０２に固定することができる。
【００２５】
本発明の実施形態の一実施例によると、中間取付部組立体６０４、６１０および６１２は、フィルタ区域（図３の３０６のように）が蝶番式ブラケット６１０の上部および上方に摺動することができるように作動可能であることができて、蝶番式ブラケットを取付位置６１４まで上方回転６１８させ、次いでフィルタ区域が蝶番式ブラケット６１０を通過した後、蝶番式ブラケット６１０は作動位置６１６に回転して戻り、フィルタ区域を支持するが、その時ナット６０８はフィルタ区域を多孔板に固定するために固く締めることができる。本発明の実施形態の一実施例によると、中間端部取付部６００はサービス要員がフィルタ区域を取り付ける際に両手を利用することを可能にし、蝶番式ブラケット６１０はフィルタの取付けを可能にするように自動的に移行し、次いでフィルタを支持するために自動的に静止位置（６１６）に戻る。
【００２６】
次に、多孔板、中間担体および方向性取付部を有する筺体内の１つまたは複数のフィルタを取り付けるための実施例の方法７００を図７の流れ図に関連して説明する。方法７００は、ブロック７０２で開始し、本発明の実施形態の一実施例によると、一次フィルタ区域を有するフィルタを設けるステップを含む。ブロック７０４では、方法７００が、一次フィルタ区域を中間担体に対して操作するステップを含み、一次フィルタ区域が多孔板に隣接して取り付けるように作動可能な一次フィルタ一次端部、および中間担体を係合するように作動可能な一次フィルタ二次端部を備え、一次フィルタ一次端部が多孔板に対してその相対的な位置を維持する。ブロック７０６では、その方法が、一次フィルタ二次端部を中間担体に対して操作するステップを含み、一次フィルタ二次端部が中間担体に対してその相対的な位置を維持し、中間担体が方向性取付部の二次端部に係合するように作動可能である。方法７００はブロック７０６の後に終了する。
【００２７】
実施形態の一実施例によると、中間担体（３１２）が、多孔板（３０２）の方に回転して、取り付け中に一次フィルタ区域（３０６）のための間隙をもたらすように作動可能であり、さらに一次フィルタ二次端部（３０８）に係合するためにおよび一次フィルタ区域（３０６）を支持するために、最初の位置に戻るように作動可能である１つまたは複数の水平の蝶番式支持ブラケット（６１０）を備える。実施形態の一実施例によると、その方法が、１つまたは複数の上方締め付け区域（５０４）を設けるステップであって、１つまたは複数の上方締め付け区域（５０４）が一次フィルタ二次端部（３０８）に固定されているステップと、１つまたは複数の上方締め付け区域（５０４）に取り付けるように作動可能な１つまたは複数の下方締め付け区域（５０８）を備える二次フィルタ一次端部（３１３）を有する二次フィルタ区域（３１４）を設けるステップとを含むことができる。
【００２８】
実施形態の一実施例によると、その方法が、１つまたは複数の下方締め付け区域（５０８）を１つまたは複数の上方締め付け区域（５０４）に取り付けることにより、二次フィルタ区域（３１４）を一次フィルタ区域（３０６）に取り付けるステップおよび固定するステップを含むことができ、二次フィルタ区域（３１４）を一次フィルタ区域（３０６）に固定するステップが、締め付けフック（５１２）の少なくとも部分を上方締付装置（５０４）に係合するステップを含み、締め付けフック（５１２）が下方締め付け区域（５０８）に結合されている。実施形態の一実施例によると、その方法が、方向性取付部（３０３）の一次端部（３０４）の１つを多孔板（３０２）に係合するステップと、方向性取付部（３０３）の二次端部（３０５）を中間担体（３１２）に固定するステップとを含むことができる。
【００２９】
実施形態の一実施例によると、その方法が、多孔板（３０２）と一次フィルタ一次端部（３０７）との間の接触面を封止することによって、一次フィルタ区域（３０６）を多孔板（３０２）に取り付けるステップおよび固定するステップを含むことができる。
【００３０】
本発明の実施形態の一実施例が、以下の１つまたは複数を含むことができるシステムまたは装置を含むことができ、そのシステムまたは装置が、筺体（１００）と、多孔板（３０２）と、中間担体（３１２）と、多孔板（３０２）を取り付けるように作動可能な２つ以上の方向性取付部一次端部（３０４）および中間担体（３１２）に取り付けるように作動可能な方向性取付部二次端部（３０５）を備える方向性取付部（３０３）と、多孔板（３０２）に隣接して取り付けるように作動可能な一次フィルタ一次端部（３０７）および中間担体（３１２）に係合するように作動可能である一次フィルタ二次端部（３０８）を備える一次フィルタ区域（３０６）を含む少なくとも１つのフィルタ（１０４）の１つまたは複数を含むことができ、一次フィルタ一次端部（３０７）が多孔板（３０２）に対してその位置を保持し、一次フィルタ二次端部（３０８）が中間担体（３１２）に対してその相対的な位置を保持する。
【００３１】
実施形態の一実施例によると、システムまたは装置はまた、中間担体（３１２）が、多孔板（３０２）の方に回転して、取り付け中に一次フィルタ区域（３０６）のための間隙をもたらすように作動可能であり、さらに一次フィルタ二次端部（３０８）に係合するためにおよび一次フィルタ区域（３０６）を支持するために、最初の位置に戻るように作動可能である１つまたは複数の水平の蝶番式支持ブラケット（６１０）をさらに備えることを含むことができる。
【００３２】
実施形態の一実施例によると、システムまたは装置はまた、一次フィルタ二次端部（３０８）に固定された１つまたは複数の上方締め付け区域（５０４）、および１つまたは複数の上方締め付け区域（５０４）に取り付けるように作動可能な１つまたは複数の下方締め付け区域（５０８）を有する二次フィルタ一次端部（３１３）を備える二次フィルタ区域（３１４）を含むことができ、二次フィルタ区域（３１４）が、１つまたは複数の下方締め付け区域（５０８）を１つまたは複数の上方締め付け区域（５０４）に取り付けることによって、一次フィルタ区域（３０６）に固定される。
【００３３】
実施形態の一実施例によると、システムまたは装置はまた、下方締め付け区域（５０８）に結合された締め付けフック（５１２）を含むことができ、締め付けフック（５１２）の少なくとも部分を上方締め付け区域（５０４）内に係合することによって、二次フィルタ区域（３１４）が一次フィルタ区域（３０６）に固定される。実施形態の一実施例によると、システムまたは装置はまた、多孔板（３０２）に係合する、方向性取付部（３０３）の少なくとも１つの一次端部（３０４）を含むことができ、方向性取付部（３０３）の二次端部（３０５）が、少なくともねじ状ナット（６０８）によって中間担体（３１２）に固定される。
【００３４】
実施形態の一実施例によると、システムまたは装置はまた、多孔板（３０２）と一次フィルタ一次端部（３０７）との間の接触面を封止するように作動可能な封止を含む一次フィルタ区域（３０６）を含むことができる。
【００３５】
次に、筺体内に２つ以上のフィルタ区域を備えるフィルタを取り付けるための別の実施例の方法８００を図８の流れ図に関連して説明する。方法８００は、ブロック８０２で開始し、本発明の実施形態の一実施例により、多孔板に取り付けるために構成された一次フィルタ区域を設けるステップを含み、一次フィルタ区域は一次フィルタ一次端部および一次フィルタ二次端部を有し、一次フィルタ二次端部が１つまたは複数の上方締付装置を備える。ブロック８０４で、方法８００は、一次フィルタ区域を多孔板に隣接する一次フィルタ一次端部に取り付けるステップを含む。ブロック８０６で、方法８００は、１つまたは複数の下方締付装置を備える二次フィルタ一次端部を有する二次フィルタ区域を設けるステップを含む。ブロック８０８で、方法８００は、二次フィルタ区域を一次フィルタ区域に固定するステップを含み、１つまたは複数の下方締付装置が１つまたは複数の上方締付装置と協働して、一次フィルタ区域に対して二次フィルタ区域を固定する。方法８００はブロック８０８の後に終了する。
【００３６】
実施形態の一実施例によると、その方法が、１つまたは複数の締め付けフック（５１２）の少なくとも部分を１つまたは複数の上方締付装置（５０４）に係合するステップにより、二次フィルタ区域（３１４）を一次フィルタ区域（３０６）に固定するステップを含むことができ、１つまたは複数の締め付けフック（５１２）が１つまたは複数の下方締付装置（５０８）に結合されている。実施形態の一実施例によると、その方法が、１つまたは複数の締め付けフック（５１２）の少なくとも部分を１つまたは複数の下方締付装置（５０８）に係合するステップによって、二次フィルタ区域（３１４）を一次フィルタ区域（３０６）に固定するステップを含むことができ、１つまたは複数の締め付けフック（５１２）が１つまたは複数の上方締付装置（５０４）に結合される。実施形態の一実施例によると、その方法が、二次フィルタ区域（３１４）と一次フィルタ区域（３０６）との間の接触面の少なくとも部分を封止するステップによって、二次フィルタ区域（３１４）を一次フィルタ区域（３０６）に固定するステップを含むことができる。
【００３７】
実施形態の一実施例によると、その方法が、一次フィルタ区域（３０６）を中間担体（３１２）に対して操作するステップを含むことができ、一次フィルタ二次端部（３０８）が中間担体（３１２）に係合するように作動可能であり、一次フィルタ一次端部（３０７）が多孔板（３０２）に対してその相対的な位置を維持する。実施形態の一実施例によると、その方法が、一次フィルタ二次端部（３０８）を中間担体（３１２）に対して操作するステップを含むことができ、一次フィルタ二次端部（３０８）が中間担体（３１２）に対してその相対的な位置を維持し、中間担体（３１２）が方向性取付部（３０３）の二次端部（３０５）に係合するように作動可能である。実施形態の一実施例によると、中間担体（３１２）が、多孔板（３０２）の方に回転して、取り付け中に一次フィルタ区域（３０６）のための間隙をもたらすように作動可能であり、さらに一次フィルタ二次端部（３０８）に係合するためにおよび一次フィルタ区域（３０６）を支持するために、最初の位置に戻るように作動可能である１つまたは複数の水平の蝶番式支持ブラケット（６１０）を備えることができる。実施形態の一実施例によると、その方法が、方向性取付部（３０３）の少なくとも１つの一次端部（３０４）を多孔板（３０２）に係合するステップを含むことができ、方向性取付部（３０３）の二次端部（３０５）が中間担体（３１２）に固定される。
【００３８】
本発明の実施形態の一実施例が、以下の１つまたは複数を含むことができるシステムまたは装置を含むことができ、そのシステムまたは装置が、筺体（１００）と、多孔板（３０２）と、中間担体（３１２）と、多孔板（３０２）に隣接して取り付けるように作動可能な一次フィルタ一次端部（３０７）および中間担体（３１２）に係合するように作動可能な一次フィルタ二次端部（３０８）を備える一次フィルタ区域（３０６）であって、一次フィルタ一次端部（３０７）が多孔板（３０２）に対してその位置を保持し、一次フィルタ二次端部（３０８）が中間担体（３１２）に対してその相対的な位置を保持する、一次フィルタ区域（３０６）と、一次フィルタ二次端部（３０８）に固定される１つまたは複数の上方締付装置（３１０）と、一次フィルタ区域（３０６）に対して二次フィルタ区域（３１４）を固定するように作動可能な１つまたは複数の下方締付装置（５０８）を有する二次フィルタ一次端部（３１３）を備える二次フィルタ区域（３１４）との１つまたは複数を含むことができる。
【００３９】
実施形態の一実施例によると、そのシステムまたは装置がまた、多孔板（３０２）を取り付けるように作動可能である２つ以上の方向性取付部一次端部（３０４）を有する方向性取付部（３０３）および中間担体（３１２）に取り付けるように作動可能である方向性取付部二次端部（３０５）をさらに備えることができる。実施形態の一実施例では、中間担体（３１２）が、多孔板（３０２）の方に回転して、取り付け中に一次フィルタ区域（３０６）のための間隙をもたらすように作動可能であり、さらに一次フィルタ二次端部（３０８）に係合するために、および一次フィルタ区域（３０６）を支持するために、最初の位置に戻るように作動可能である１つまたは複数の水平の蝶番式支持ブラケット（６１０）をさらに備えることができる。
【００４０】
実施形態の一実施例によると、そのシステムまたは装置がまた、１つまたは複数の下方締付装置（５０８）に結合されている１つまたは複数の締め付けフック（５１２）を含むことができ、二次フィルタ区域（３１４）が、１つまたは複数の締め付けフック（５１２）の少なくとも部分を１つまたは複数の上方締付装置（５０４）に係合するステップによって、一次フィルタ区域（３０６）に固定される。実施形態の一実施例によると、そのシステムはまた、１つまたは複数の上方締付装置（５０４）に結合された１つまたは複数の締め付けフック（５１２）を含むことができ、二次フィルタ区域（３１４）が、１つまたは複数の締め付けフック（５１２）の少なくとも部分を１つまたは複数の締付装置（５０８）に係合するステップによって、一次フィルタ区域（３０６）に固定され、方向性取付部（３０３）の少なくとも１つの一次端部（３０４）が多孔板（３０２）に係合し、方向性取付部（３０３）の二次端部（３０５）が少なくとも１つのねじ状ナット（６０８）で中間担体（３１２）に固定される。実施形態の一実施例によると、そのシステムはまた、一次フィルタ二次端部（３０８）と二次フィルタ一次端部（３１３）との間の接触面の少なくとも部分を封止するように作動する封止をさらに備えることを含むことができる。
【００４１】
実施形態の一実施例によると、簡単に取り付け、組み立てることができる複数区域フィルタをもたらすあるシステム、方法および装置を生成するステップなど、ある技術的効果を提供することができる。本発明の実施形態の一実施例が、フィルタを取り付けるためのシステム、方法および装置をもたらす技術的効果をさらに提供することができる。
【００４２】
本発明の実施形態の一実施例では、筺体システム１００および組立体３００が、任意の機能を促進するように作動可能な任意の数のハードウェア構成要素を含むことができる。所望により、本発明の実施形態は、図１〜６に図示する構成要素よりも多い、または少ない構成要素を含むことができる。
【００４３】
本発明のある実施形態を最も実際的で様々な実施形態であると現在考えられるものに関連して説明してきたが、本発明は開示した実施形態に制限されるのではなく、その反対に、添付の特許請求の範囲の範囲内に含まれる様々な修正形態および均等な配置に及ぶと意図するものであると理解すべきである。本明細書に特定の用語が採用されるが、それらは包括的および説明的な意味でのみ使用され、制限する目的のためではない。
【００４４】
ここに記載した説明は、最良の型を含む、本発明のある実施形態を開示するための実施例、および、さらに任意の装置およびシステムを作成し、使用することならびに組み込まれた方法を実施することを含む、当業者が誰でも本発明のある実施形態を実施することを可能にする実施例を使用する。本発明のある実施形態の特許性のある範囲は特許請求の範囲に定義され、当業者が想起する他の実施例を含むことができる。そのような他の実施例は、それらが特許請求の範囲の文言から離れない構造上の要素を有する場合、またはそれらが特許請求の範囲の文言と異なる本質的ではない相違を有する均等な構造上の要素を含む場合、特許請求の範囲内にあると意図するものである。
【符号の説明】
【００４５】
１００  筺体
１０２  流入空気
１０４  フィルタ
１０６  フィルタを通過した空気
１０８  流出空気
２００  フィルタ組立体
２０２  端部キャップ
２０４  二次フィルタ区域
２０６  一次フィルタ区域
２０８  締付具
３００  フィルタおよび取付部組立体
３０２  多孔板
３０３  方向性取付部
３０４  方向性取付部一次端部
３０５  方向性取付部二次端部
３０６  一次フィルタ区域
３０７  一次フィルタ一次端部
３０８  一次フィルタ二次端部
３１０  上方締付装置
３１１  下方締付装置
３１２  中間担体
３１３  二次フィルタ一次端部
３１４  二次フィルタ区域
３１５  二次フィルタ二次端部
３１６  端部キャップまたは担体
４００  中間担体
４０２  一次フィルタ
４０４  担体部材
４０６  担体取付位置
４０８  ガスケット
５００  締め付け組立体
５０２  一次フィルタ
５０４  上方締め付け区域
５０６  二次フィルタ
５０８  下方締め付け区域
５１０  ガスケット
５１２  締め付けフックおよびレバー
６００  方向性取付部および中間担体
６０２  方向性取付部二次端部
６０４  担体部材
６０６  保持プレートまたは座金
６０８  ナット
６１０  蝶番式担体
７００  方法の流れ図
７０２〜７０８  方法ブロック
【図７】
2013017998.tif 000002
【図１】
2013017998.tif 000003
【図２】
2013017998.tif 000004
【図３】
2013017998.tif 000005
【図４】
2013017998.tif 000006
【図５】
2013017998.tif 000007
【図６】
2013017998.tif 000008
【図８】
2013017998.tif 000009
【外国語明細書】
2013017998000001.pdf